【事件の表示】
　平成　６年特許願第　５３９０２号「無口金電球用ソケット装置」拒絶査定不服審判事件〔平成　７年１０月１３日出願公開、特開平　７−２６３０９９号〕について、次のとおり審決する。
【結　論】
　本件審判の請求は、成り立たない。
【理　由】
　１．手続の経緯・本願発明 
　本願は、平成６年３月２４日の出願であって、平成１４年１１月１３日付けで拒絶査定がなされ、これに対し、平成１４年１２月１９日に拒絶査定に対する審判請求がなされたものである。その請求項１に係る発明は、平成１４年８月５日付けの手続補正書により補正された明細書、及び図面の記載からみて、次のとおりのものと認める。
　「一端に無口金電球の封止部が挿入されるランプ挿入孔を開口したソケット本体と、
　上記ランプ挿入孔に取着され、上記無口金電球の封止部が挾持されるとともに、この封止部に設けた接続端子が電気的に接続される一対の端子金具
と、
　一端に上記ソケット本体が軸方向に沿う位置を調整可能にして差し込まれる差込孔を有し、周囲にフランジ部を備えるとともに、このフランジ部の軸方向に対向して係止突起が形成され、これらフランジ部と係止突起とで被取付部材に係着されるソケット支持筒と、
　上記差込孔に挿入された上記ソケット本体を軸方向へ調整した位置で停止させる固定手段と、
　を備えたことを特徴とする無口金電球用ソケット装置。 」（以下、「本願発明」という）
　なお、請求項１には「調整可能して」と記載しているが、「調整可能し
て」は、その意味するところが明りょうでなく、また、明細書の段落【０００９】の【課題を解決するための手段】おける「請求項１の発明は、・・・一端に上記ソケット本体が軸方向に沿う位置を調整可能にして差し込まれる差込孔を有し、・・・」という記載を参酌すると、「調整可能して」は「調整可能にして」の誤記と認められるので、本願の請求項１に係る発明を上記のように認定した。
　
　２．引用刊行物 
　これに対して、原査定の拒絶の理由に引用文献１として引用された実願昭６１−９５９６２号（実開昭６３−３０８６号）のマイクロフィルム（以
下、「刊行物１」という）には、図面とともに次の事項が記載されている。
　
（１）「取付け基準面となるフランジを一体に備えた絶縁体からなる支持ベースの一端にランプを支持したランプホルダを所定の位置に取付けるとともに、この支持ベースの他端に上記ランプと電気的に接続される給電端子を設けた定焦点形光源装置において、上記ランプの封止端部にキャップを被着するとともに、上記ランプホルダは上記支持ベースに取着される取付け基板を備え、これらキャップおよび取付け基板のいづれか一方に係止突起を形成するとともに、他方には上記係止突起が摺動可能に嵌まり込む嵌合受け部を形成し、これら係止突起と嵌合受け部との嵌着により上記ランプをランプホルダに取付けたことを特徴とする定焦点形光源装置」（実用新案登録請求の範囲） 
（２）「本考案は、ランプホルダに対するランプの取付け位置を高精度に決め易いとともに、位置調節も可能な定焦点形光源装置を提供するものであ
る。」（第４ページ第１８行〜第５ページ第１行）
（３）「（問題点を解決するための手段）本考案は、ランプの封止端部にキャップを被着するとともに、上記ランプホルダは、上記支持ベースに取着される取付け基板を備え、これらキャップおよび取付け基板のいづれか一方に係止突起を形成するとともに、他方には上記係止突起が摺動可能に嵌まり込む嵌合受け部を形成し、これら係止突起と嵌台受け部との嵌着により上記ランプをランプホルダに取付けたことを特徴とする。
　(作用)　このような構成によると、ランプの封止端部に取り付けたキャップと、ホルダ側の取付け基板のいづれか一方に形成した係止突起が、他方に設けた嵌合受け部にはまり込んでランプをランプホルダに取付けることができるので、ランプホルダに対するランプの位置が決め易く、またランプの位置調節をしたい場合はこれら係止突起と嵌合受け部とを摺動させることによりランプを変位させることができる。
(考案の実施例 )　以下本考案について、図面に示す一実施例にもとづき説明する。
　図において1は支持ベースであり、耐熱性合成樹脂などのような絶縁体により形成され、全体として略L字形に構成されている。この支持ベース1の一端には、ランプ支持孔2が形成されているとともに、他端には図示しないソケットとの連結部3が形成されている。　また、支持ベース1には、上記ランプ支持孔2を形成した端部の外側に、器具、例えば反射鏡30との取付け基準面となるフランジ 4が一体に成形されており、このフランジ4の上面4aが器具に対する取付け基準面となっている。
　さらに、この支持ベース1には、上記ランプ支持孔2の開口部に位置して嵌合凹部5が形成されている。この嵌合凹部5は、例えば円形段部をなしており、その周側面5aおよび底面5bがともに上記フランジ4に対し所定位置となるように形成されている。これら周側面5aおよび底面5bは後述するランプホルダの取付け基準面をなすもので、これら周側面 5aおよび底面5bの加工精度は　±　0 . 05 ｍｍ程度のばらつき内に抑えるべく高精度に規制されている。・・・・・・・
　10はランプであり、たとえばハロゲン電球が使用されている。ハロゲン電球10は、石英や硬質ガラスなどからなるバルブ11内にコイルフィラメント12を、内部リード線13,13にて所定位置に支持し、これら内部リード線13,13は上記バルブ 11の一端に形成した圧潰封止部14に封着されている。内部リード線13,13は圧潰封止部14内で外部リード線15,15と接続され、これら外部リード線15,15はバルブ11の外に導出されている。
　そして、上記圧潰封止部14にはキャップ16が被着されている。本実施例ではキャップ16を、圧潰封止部14に巻装した金属バンドによって構成してある。金属バンド16は角形に形成され、圧潰封止部14の周側面を覆っている。なお、金属バンド16は圧潰封止部14に接着剤又はかしめあるいは緊締手段等にて接合される。
　上記金属バンド16には、例えばその点対象となる位置の外面に、嵌合受け部 17,17が設けられている。これら嵌合受け部17,17は、それぞれ一対の L字形舌片18,18を相互に対向するように溶接もしくは切り起して構成されたものである。
　このようなハロゲン電球10は、ランプホルダ19に取付けられている。ランプホルダ19は、耐熱性および絶縁性合成樹脂にて形成された取付け基板20に、係止突起 21,21を突設して構成されている。取付け基板 20は支持ベース1に形成した嵌合凹部5に嵌合されるべく円板形をなしており、その側面および底面が取付け基準面となっていて、加工精度は前記嵌合凹部 5の寸法に対して ±　0．05ｍｍ程度以内に仕上げられている。
　この取付け基板20に突設された係止突起21,21は、例えば金属舌片よりなり、前記ランプ10側の金属バンド16に形成した嵌合受け部17,17が嵌め込まれるようになっている。この場合、嵌合受け部17,17を係止突起21,21に嵌め込むには圧入するようになっており、これら嵌合受け部17,17と係止突起21,21は摩擦により係合する。
　そして、ランプ10を、ランプホルダ19に対し管軸方向に移動させると、嵌合受け部17,17と係止突起 21,21の摺動によりランプ10が変位できるようになっており、これによりランプホルダ19の取付け基板 20における基準底面とフィラメント中心との距離 Hを調整することができるようになっている。
　なお、電球10をランプホルダ19に支持させた場合、電球10の外部リード線15,15が取付け基板20を貫通するようになっている。」（第５ページ第３行〜第９ページ第１９行）
（４）「そして、ランプ10を、ランプホルダ19に対し管軸方向に強い力で移動させると、嵌合受け部17,17と係止突起 21,21が摺動してランプ10を管軸方向は変位させることができるから、これによりランプホルダ19の取付け基板 20における基準底面とフィラメント中心との距離 Hを調整することができる。
　なお、ランプ10をランプホルダ19に対して所定の位置調整が終了した
ら、これらランプ10とランプホルダ19を接着剤にて固定しておいてもよ
い。」（第１３ページ第３行〜第１２行）
　　　　　　　
　３．引用刊行物記載の発明
　上記２の（１）〜（４）の記載において
・ランプ１０は、その圧潰封止部14に、角形に形成され、外側に嵌合受け部 17,17が設けられたキャップ16が被着されており、圧潰封止部14から外部リード線15,15,が導出されているから、無口金電球といえる。
・「なお、ランプ10をランプホルダ19に対して所定の位置調整が終了したら、これらランプ10とランプホルダ19を接着剤にて固定しておいてもよい。」（上記２．（４）を参照）において、「ランプ10をランプホルダ19に対して所定の位置調整が終了したら、」は、『ランプ10のランプホルダ19に対する所定の位置調整が終了したら、』ということであり、これは、ランプ10の圧潰封止部14に被着されたキャップ16の嵌合受け部 17,17と係止突起 21,21が摺動してランプ10を管軸方向に変位して位置調整できるのであるから、『キャップ16のランプホルダ19に対する管軸方向への所定の位置調整が終了したら、』ということができ、また、「これらランプ10とランプホルダ19を接着剤にて固定」することは、「なお、金属バンド16は圧潰封止部14に接着剤又はかしめあるいは緊締手段等にて接合される。」（上記２．（４）を参照）こと、ランプ10の圧潰封止部14に被着されたキャップ16の嵌合受け部 17,17と係止突起 21,21が摺動してランプ10を管軸方向に変位して位置調整できること及び第３図（キャップとランプホルダの係合状態を示す要部の斜視図）の記載におけるランプ10、キャップ16、ランプホルダ19の係合状態とから、キャップ16とランプホルダ19を接着剤にて固定することをも意味していると解される。
　したがって、上記２．（１）〜（４）及び第１図〜第５図に記載された事項を総合すると、刊行物１には以下の発明が記載されているものと認められる。
　「無口金電球の封止端部に被着されるキャップと、
取付け基板を備え、該取付け基板が支持ベースに取着されるランプホルダ
と、
　無口金電球の封止端部から導出され、ランプホルダの取付け基板を貫通する外部リード線と、を備え、
　これらキャップ及び取付け基板のいずれか一方に係止突起を形成するとともに、他方には上記係止突起が摺動可能に嵌まり込む嵌合受け部を形成し、これら係止突起と嵌合受け部とを管軸方向へ摺動可能に嵌着し、キャップのランプホルダに対する管軸方向への所定の位置調整が終了したら、キャップとランプホルダを接着剤にて固定してなる無口金電球用ホルダ装置」（以
下、「刊行物１記載の発明」という）
　
 ４．対比 
　本願発明と刊行物１記載の発明とを対比すると、後者の「キャップ」は、無口金電球の封止端部に被着されるが、キャップ側から見れば、キャップに無口金電球の封止部が挿入されるといえるから、後者の「キャップ」も前者の「ソケット本体」も、無口金電球の封止部が挿入される無口金電球の保持部材ということができる。
　また、後者の「管軸方向」は前者の「軸方向」に相当するので、後者の「ランプホルダ」も前者の「ソケット支持筒」も、無口金電球の封止部が挿入される無口金電球の保持部材である「キャップ」又は「ソケット本体」を軸方向に沿う位置を調整可能に支持している支持部材ということができる。また、後者の「無口金電球用ホルダ装置」も前者の「無口金電球用ソケット装置」も「無口金電球用支持装置」ということができる。
　また、後者の「管軸方向への所定の位置調整が終了したら、」・・・「固定してなる」は、前者の「軸方向へ調整した位置で停止させる」に相当す
る。
　したがって、本願発明で用いられている語句を用いて表現すると、両者
は、
「無口金電球の封止部が挿入される無口金電球の保持部材と、保持部材が軸方向に沿う位置を調整可能に支持した支持部材と、からなり、保持部材を軸方向へ調整した位置で停止させるようにしてなる無口金電球用支持装置」である点で一致し、次の点で相違する。
  　相違点 
（１）本願発明は、保持部材が、一端に無口金電球の封止部が挿入されるランプ挿入孔を開口したソケット本体であり、支持部材が、一端に上記ソケット本体が軸方向に沿う位置を調整可能にして差し込まれる差込孔を有し、周囲にフランジ部を備えるとともに、このフランジ部の軸方向に対向して係止突起が形成され、これらフランジ部と係止突起とで被取付部材に係着されるソケット支持筒である、のに対し、刊行物１記載の発明は、保持部材は、無口金電球の封止端部に被着されるキャップであり、支持部材が、取付け基板を備え、該取付け基板が支持ベースに取着されるランプホルダであり、これらキャップ及び取付け基板のいずれか一方に係止突起を形成するとともに、他方には上記係止突起が摺動可能に嵌まり込む嵌合受け部を形成し、これら係止突起と嵌合受け部とを管軸方向へ摺動可能に嵌着する点。
（２）本願発明は、ランプ挿入孔に取着され、上記無口金電球の封止部が挾持されるとともに、この封止部に設けた接続端子が電気的に接続される一対の端子金具を備えているのに対し、刊行物１記載の発明は、無口金電球の封止端部から導出され、ランプホルダの取付け基板を貫通する外部リード線を備えている点、
（３）保持部材を軸方向へ調整した位置で停止させるのに、本願発明は、固定手段を備えているのに対し、刊行物１記載の発明は、接着剤にて固定する点 
　
　５．相違点の判断 
　相違点（１）について
　一端に無口金電球の封止部が挿入されるランプ挿入孔を開口したソケット本体と、一端にソケット本体が軸方向に沿って挿入される差込孔を有するソケット支持筒とからなる無口金電球用ソケット装置は、従来周知である（必要ならば、特開平２−３１２１７５号公報（本体１４、基部１２を参照）、実願平２−９６１１６号（実開平４−５４１８２号）のマイクロフィルム（電球保持体Ａ、ソケット基体Ｂを参照）、米国特許第４８０４３４３号明細書（ソケットインサート５４，ソケットボディ１５を参照）を参照）。そして、刊行物１記載の発明におけるキャップ及びランプホルダにかえて上記従来周知であるソケット本体及びソケット支持筒を用いるに際し、キャップ及びランプホルダとが摺動可能で位置調整できることを踏まえて、ソケット本体と差込孔との関係を、ソケット本体が軸方向に沿う位置を調整可能にして差し込まれるようにすることは、当業者であれば適宜なし得たものである。
　また、ソケットの周囲にフランジ部を備えるとともに、このフランジ部の軸方向に対向して係止突起が形成され、これらフランジ部と係止突起とで被取付部材にソケットを係着させるようにすることは従来周知の技術であり（必要ならば、実願昭５７−５７８４８号（実開昭５８−１６０４８３号）のマイクロフィルム、実願昭６１−２０２４００号（実開昭６３−１０５２９１号）のマイクロフィルム（拒絶理由で引用文献２として引用）、実願平１−５９４２７号（実開平２−１５０６８９号）のマイクロフィルムを参照）、この従来周知の技術をソケット支持筒に用いて、ソケット支持筒の周囲にフランジ部を備えるとともに、このフランジ部の軸方向に対向して係止突起が形成され、これらフランジ部と係止突起とで被取付部材にソケットを係着させるようにすることは、当業者であれば適宜なし得たものである。
　したがって、相違点（１）における本願発明のようにすることは、当業者であれば適宜なし得たものである。また、上記相違点（１）に基づく本願発明の効果も当業者であれば予測した範囲内のものである。
  　
　相違点（２）について
　無口金電球用ソケットにおいて、ソケット本体のランプ挿入孔に取着さ
れ、無口金電球の封止部が挾持されるとともに、この封止部に設けた接続端子が電気的に接続される一対の端子金具は、従来周知でるから（必要ならば、実願昭５４−１４１５７６号（実開昭５６−５９７８７号）のマイクロフィルム、実願昭５７−１８２２４５号（実開昭５９−８５５９３号）のマイクロフィルム、実願平１−４０９０６号（実開平２−１３３８８５号）のマイクロフィルムを参照）、上記相違点（２）における本願発明のようにすることは、当業者であれば容易に想到し得たものである。また、上記相違点（２）に基づく本願発明の効果も当業者であれば予測した範囲内のものであ
る。　
　
　相違点（３）について
　調整した位置に停止（固定）させるのに接着剤にかえて固定手段を用いるようにして、上記相違点（３）における本願発明のようにすることは、調整した位置に停止（固定）させるのに固定手段を用いることは従来周知の技術であるから（必要ならば、実願昭５４−７９０２１号（実開昭５５−１８０２０９号）のマイクロフィルム（第１図における固定ねじ５を参照）、実願昭６３−９６０２９号（実開平２−１７０５７号）のマイクロフィルム（止めネジ５、止めネジ８を参照）を参照）、当業者であれば適宜なし得たものである。また、上記相違点（３）に基づく本願発明の効果も当業者であれば予測した範囲内のものである。
　
　６．むすび 
　したがって、本願発明は、刊行物１に記載された発明及び従来周知の事項に基いて当業者が容易に発明をすることができたものであるので、特許法第２９条第２項の規定により特許を受けることができない。 
 　よって、結論のとおり審決する。